(57)【要約】【課題】片手で容易にトイレットペーパーを切ると同時に次回の引き出しに必要な次回利用把持用リーダーもを同時作業で確保出来て且つロール状のトイレットペーパーの装着も容易なトイレットペーパーホルダーを提供する。【解決手段】従来のトイレットペーパーホルダーは片手でペーパーが切れない。両手で切っても次回利用把持用リーダーがカバーの下に隠れる。これを解決する為めカバー（１０）の表面上部にペーパーを通し、カバー下部先端（１５、１６）にてペーパーを押し切り、切り取りペーパー（２０）を確保し同時に次回利用把持用リーダー（１９）をカバー（１０）の上に確保する。ペーパーをカバー（１０）の表面上部に通すのとペーパーの装着を容易にする為カバー上部先端（１４）に切り込みを設け尚化粧体裁の為必要ならば化粧カバー（１１）を設けたことを特徴としたトイレットペーパーホルダー。【選択図】図１
2004174172.tif 000002
【特許請求の範囲】
【請求項１】
円筒形に捲回されたロールペーパーを回転自在にしロールペーパーの軸方向を水平に保持し、所望の長さのペーパーが切り取り自在なトイレットペーパーホルダにおいて、ロールーペーパー（１８）を片手で切断し、同時に次回利用把持用リーダー（１９）を確保するトイレットペーパーホルダーの考案である。現在市販されているトイレットペーパーホルダーのカバー（１０）とカバー回転軸（９）との平行面のカバーに切り込みを作ります、カバー回転軸（９）とカバー（１０）が一体となりその機能と耐久性を保持するだけの強さが必要である。この切り込みはペーパーの通過空間と装着用の空間であり、切り込みの形は矩形、楕円形、三角形等自由である
本発明のトイレットペーパーホルダには横型設置用と縦型設置用の２種類あるが以下横型設置用の説明とする。
ロールペーパー（１８）を回転自在に保持するためのロールペーパ保持部（３、４）とロールペーパーを回転自在に保持するロールペーパー回転軸保持穴（５、６）を有するホールド基部（１）とロールペーパー（１８）の上部曲面に沿ってロールペーパーを覆うカバー（１０）と一体に固定形成されたカバー回転軸（９）を受けるカバー回転軸保持穴（７、８）から構成される。従来のトイレットペーパーホルダーはロールペーパー（１８）とカバー（１０）の間をペーパーが通っていたが、この考案はカバー（１０）の上にペーパーを通すものである。その為カバー（１０）とカバー回転軸（９）との間はペーパーの通過とペーパーの装着が容易に出来るように固定形成しないで通過空間を作ってある。カバー（１０）先端にはペーパー切断用歯形（１６）を設けペーパーの切断を容易にしてある。カバー（１０）の左右両端にはペーパーの擦れ防止の為ペーパー用ガイド壁（１２、１３）を設ける、ペーパーが切り取りの為下方向に力が加えられた時その力を利用してカバー（１０）の裏側でロールペーパー（１８）との接点にペーパー回転止ストッパー（１７）を設けロールペーパー（１８）の回転を止めると同時にペーパーを下に押す力に依ってペーパーが切られカバー（１０）の上に次回利用把持用リーダー（１９）も確保され、使用する切り取りペーパー（２０）も同時に確保できることを特徴とする横型設置用イレットペーパーホルダーである。ロールペーパーの軸方向を垂直に保持し設置する縦型設置用として使用するには更に化粧カバー（１１）を設けペーパーの横擦れを防ぎ装着を容易にする為片側にあるペーパー用ガイド壁（１２）を除去すれば縦型設置用としも使用が出来るこの縦型設置用は横型設置用としても双方に充分使用することが出来ることを特徴とするトイレットペーパーホルダー。
【請求項２】
カバー（１０）とカバー回転軸（９）の片側は一体として固定形成され回転機能を保持しカバー回転軸（９）との平行面であるカバー上部先端（１４）にはペーパーの通過空間及び装着空間としての切り込みが設けられたカバー（１０）を有することを特徴とする請求項１に記載のトイレットペーパーホルダー。
【請求項３】
カバー（１０）とカバー上部先端（１４）の間に作るペーパーの通過及びペーパー装着用の切り込みはカバー（１０）とカバー回転軸（９）の機能が保持出来ればその利用方法とデザインにより形、広さ、大きさ、等は自由に変化させることが出来ることを特徴とする請求項１に記載のトイレットペーパーホルダー。
【請求項４】
カバー（１０）の上部曲面に沿ってペーパーがリードされ通過することを特徴とする請求項１に記載のトイレットペーパーホルダー。
【請求項５】
カバー（１０）の上部左右両端にペーパーが流れることを容易に助ける為のペーパー用ガイド壁（１２、１３）を設けたことを特徴とする請求項１に記載のトイレットペーパーホルダー。
【請求項６】
カバー（１０）の先端にペーパー切断用の歯形切断機構であるペーパー切断用歯形（１６）を設けたことを特徴とする請求項１に記載のトイレットペーパーホルダー。
【請求項７】
カバー（１０）の裏面にロールペーパー（１８）との接触面にロールペーパー（１８）と平行にカバー（１０）が押されることにより生じる力を利用してロールペーパー（１８）の回転を止めるペーパー回転止ストッパー（１７）を設けることを特徴とする請求項１に記載のトイレットペーパーホルダー
【発明の詳細な説明】
【０００１】
【発明の属する技術分野】
本発明はトイレットペーパーホルダーに関し、特にペーパーの引き出し切断を容易にしたトイレットペーパーホルダーに関する。
【０００２】
【従来の技術】
トイレットペーパーはロール状に巻かれ、壁等に固定され、該ロール状トイレットペーパーを回転自在に保持するペーパーホルダーに装着して使用される。
【０００３】
ロール状に捲回されたトイレットペーパーは使用時ペーパーホルダーから適当量引き出し切断して使用する。ペーパーホルダは金属、木材、プラスチック、等より形成され、ロールペーパーの曲面に沿って揺動自在に取り付けられた上部カバーが設けられている。ペーパーはカバーの下側にセットされていて適当量引き出されこのカバー先端で引きちぎる。しかしながらトイレットペーパーを上部カバーの先端で引きちぎる為の力をトイレットペーパーに加える時上部カバーもトイレットペーパーと同時に上に引っぱり上げられて片手で引きちぎる作業は困難である。一方の手で上部カバーを押さえ他方の手でトイレットペーパーを手前上方向に強く引いてトイレットペーパーを引きちぎっているのが現実である。
【０００４】
上記のトイレットペーパーの引きちぎりの動作は、両手を使用しなければならない為、片手のみで引きちぎる事が出来るようなトイレットペーパーホルダーも発明されている。例えば特開平１０−３０９２４５号には、上部カバーをカバーの自重で跳ね上がりを防止しカッターにゴム製品を使用したものが記載されている。
【０００５】
【発明が解決しようとする課題】
しかしながら上記の公開公報に記載されているものはカバーの自重のみで、トイレットペーパー切断時の切断用加担力を受け入れるにはトイレットペーパーホルダーが上に反発しない相当の重量化が要求される。又両手で引きちぎったペーパーは使用部分だけ手元に残るが次回利用把持用リーダーはカバーの下に隠れて見えない、次回使用時はカバーを上げてペーパーを探し再度引っ張り出す不便性と欠点がある。
【０００６】
【問題を解決するための手段】
上述の本発明の目的を達成するため、本願の請求項１に係わる発明は円筒状に捲回されたロールペーパーを回転自在に保持し、所望の長さのロールペーパーが切り取り自由なトイレットペーパーホルダーに於いてトイレットペーパーホルダーの取り付け部を設けた固定部（２）と、これの両縁から延び、ロールペーパーを回転自在に保持するためのロールペーパー保持部（３、４）とロールペーパーを回転自在に保持するロールペーパー回転軸保持穴（５、６）を有するホールド基部（１）とロールペーパー（１８）の上部曲面に沿ってロールペーパーを覆うカバー（１０）と一体に固定形成されたカバー回転軸（９）とを受けるカバー回転軸保持穴（７、８）から構成される。従来のトイレットペーパーホルダーではペーパーはロールペーパー（１８）とカバー（１０）の間を通っていたがこの考案ではカバー（１０）の上にペーパーを通すものである。その為カバー（１０）とカバー回転軸（９）との平行面であるカバー上部先端（１４）に切り込みを作りペーパーの通過とペーパーの装着が容易に出来るように固定形成されない通過空間を作ってある。カバー（１０）先端にはペーパー切断用歯形（１６）を設けペーパーの切断を容易にしてある。ペーパーが切り取りの為下方向に力が加えられる時その力を利用してカバー（１０）の裏側にはロールペーパー（１８）との接点付近にロールペーパー回転止ストッパー（１７）を設けロールペーパー（１８）の回転を止めると同時にペーパーが切り取られカバー（１０）の上に次回利用把持用リーダー（１９）が残り、使用する切り取りペーパー（２０）も同時に確保できることを特徴とする横型設置用イレットペーパーホルダーである。
ロールペーパーの軸方向を垂直に保持し設置する縦型設置用として使用するには更に化粧カバー（１１）を設けペーパーの横擦れを防ぎ装着を容易にする為片側にあるペーパー用ガイド壁（１２）を除去すれば縦型設置用としも使用が出来るこの縦型設置用は横型設置用としても双方に充分使用することが出来ることを特徴とするトイレットペーパーホルダーを提供する。
【０００７】
【発明の実施の形態】
本発明に係わるロールペーパーの軸方向が水平に保持された状態である横型設置用トイレットペーパーホルダーを壁面等垂直な面に取り付けロールペーパー（１８）を回転自在に装着しカバー（１０）上部にある次回利用把持用リーダー（１９）を片手で所望の長さ迄引き出し、そのまま片手でカバー下部先端（１５）に取り付けてあるペーパー切断用歯形（１６）にペーパーを下方向に押し下げることによってペーパー回転止ストッパー（１７）に下方向の力が加わりロールペーパー（１８）は回転が止まりペーパーは切れる、同時にカバー（１０）の上部には次回利用把持用リーダー（１９）が残り、使用する切り取りペーパー（２０）が確保される。
【０００８】
【実施例】
本発明の実施例を図面を用いて詳細に説明する。図１は本発明に係わるトイレットペーパーホルダの斜視図である。図１において（１）はホールド基部を示す（２）は固定部でこの両端から延びるロールペーパー保持部（３、４）を有する。この先端には、ロールペーパーを保持する為の固定軸のはめ込み用のロールペーパー回転軸保持穴（５、６）が設けられていている。（１８）はロールペーパーでありその芯穴に固定軸が貫通されその両端には保持穴（５、６）に挿入される突起が形成されて保持とロールペーパーの回転をスムースに行う、以上は一般に使用されているトイレットペーパーホルダである。
【０００９】
ロールペーパー（１８）にはロールペーパーの外周曲面に沿うて、カバー（１０）が取り付けられている、このカバー（１０）はカバー回転軸（９）と一体形成されカバー上部先端（１４）では片側部分のみが固定形成されている、その反対側はカバー（１０）に切り込みを設け固定形成されていない、この切り込みがペーパーの通過とペーパーの装着を容易にする。この切り込みは矩形、楕円形、三角形等デザインにより又製作工程により自由に変化させることが出来る。但しカバー（１０）はカバー回転軸保持穴（７、８）により上下回転運動自在を要求され、この機能と耐久性が保持出来れば、切り込みの大きさ、形は自由に出来るこのカバー（１０）の先端にはカバー下部先端（１５）とペーパー切断用歯形（１６）が設置されている、カバー（１０）の裏側にはペーパー回転止ストッパー（１７）が作られている、更に引っ張られるペーパーが横ずれしないようにペーパー用ガイド壁（１２、１３）がカバー両端の左右に作られている。
【００１０】
カバー下部先端（１５）に切断のため為力が加えられロールペーパー（１８）を切断することは、同時にカバー（１０）全体に力が加わり、ペーパー回転止ストッパー（１７）が働きロールペーパー（１８）の回転を止めることになる。ペーパー回転止ストッパー（１７）はカバー（１０）と同材質で幅５ミリ程度の横棒をカバー（１０）の裏側にロールペーパー（１８）と平行に設ける。カバー（１０）の自重によってロールペーパー（１８）の回転を止めたり、カバー（１０）をスプリングの力で押さえ込み、跳ね上りを防止するのとは違い直接ロールペーパー（１８）を押さえるので、完全に回転を止めることが出来る。この原理は従来の方式とは異なり、経済的、効果的であり、新規性がある。
【００１１】
ロールペーパー切断用のペーパー切断用歯形（１６）は手に危険を与えない程度の厚さと歯形が必要であり手と指との作業であるから突起状が危険でない範囲としペーパーの質によっては歯形が無くとも切断に必要な凸部だけあれば充分に切断の使用に耐えられる。
【００１２】
ロールペーパー（１８）の切断と同時に、次回利用把持用リーダー（１９）がカバー（１０）の上に残り確保されることは、カバー（１０）の下に隠されてしまい次回利用時にカバー（１０）を持ち上げ、ロールペーパー（１８）を探し、引っ張り出す必要がなくなり一回の切断作業で次回利用把持用リーダー（１９）が同一作業で確保出来ることは大きな利便性がある。
【００１３】
本発明に於いて横型設置用とはロールペーパーの軸方向が水平の時でありこれは一般に利用されている横型形式である。縦型設置用とはロールペーパーの軸方向が垂直のことである。上述したのは主に横型設置用を説明したがここでは縦型設置用を説明する。図面２を参照すれば縦型設置用は横型設置用を垂直に使用するだけであるが補充的に化粧カバー（１１）を設け、ペーパー用ガイド壁（１２）を除去すればよいだけである。縦型設置用に使用するときはロールに巻かれているペーパーは固定保持されているがロールから引っ張られているペーパーは重力により垂れ下がってしまう、垂れ下がりを防止するためカバー（１０）の曲面に沿うって同じ曲面をもつ化粧カバー（１１）をカバー（１０）の上部に設ける。ペーパーはカバー（１０）と化粧カバー（１１）の空間を通り横に引っぱられる、この化粧カバー（１１）の大きさはカバー（１０）の先端より短くし次回利用把持用リーダー（１９）の掴みしろが出来てカバー（１０）に隠れない大きさとする、尚この化粧カバー（１１）の形状、大きさ、デサイン、カバー回転軸（９）の機能を保持出来る限り自由に応用変化することが出来る。
【００１４】
以上、本発明を上述の実施例により説明したが、本発明の主旨の範囲内でいろいろな、変形や応用が可能である。これらの変形や応用を本発明の範囲から排除するものではない。
【００１５】
【発明の効果】
以上詳細に説明したように、本願発明によれば、横型設置用トイレットペーパーホルダーを壁面等垂直な面に取り付け、ロールペーパー（１８）を回転自在に装着した状態で、カバー（１０）の表面上に前回使用時に切り取り残されている次回利用把持用リーダー（１９）を片手で所望の長さまで引き出し、そのままカバー下部先端（１５）とペーパー切断用歯形（１６）に押し当てるとロールペーパー（１８）は回転をとめ片手で且つ容易にペーパーを切ることが出来ると共に同時作業で次回引き出しに必要な次回利用把持用リーダー（１９）を再度カバー（１０）の上に、自動的に確保出来る便利なトイレットペーパーホルダーである
【図面の簡単な説明】
【図１】は、本発明に係わる横型設置用トイレットペーパーホルダの斜視図である。
【図２】は、本発明に係わる縦横型設置用トイレットペーパーホルダの斜視図である。
【図３】は、横型設置用トイレットペーパーホルダのカーバー斜視図である。
【図４】は、縦型設置用トイレットペーパーホルダのカーバー斜視図である。
【符号の説明】
１・・・・・・・ホールド基部
２・・・・・・・固定部
３・・・・・・・ロールペーパー保持部（反対側４）
４・・・・・・・ロールペーパー保持部
５・・・・・・・ロールペーパー回転軸保持穴（反対側６）
６・・・・・・・ロールペーパー回転軸保持穴
７・・・・・・・カバー回転軸保持穴（反対側８）
８・・・・・・・カバー回転軸保持穴
９・・・・・・・カバー回転軸
１０・・・・・・・カバー
１１・・・・・・・化粧カバー
１２・・・・・・・ペーパーガイド壁（反対側１３）
１３・・・・・・・ペーパーガイド壁
１４・・・・・・・カバー上部先端
１５・・・・・・・カバー下部先端
１６・・・・・・・ペーパー切断用歯形
１７・・・・・・・ペーパー回転止ストッパー
１８・・・・・・・ロールペーパー
１９・・・・・・・次回利用把持用リーダー
２０・・・・・・・切り取りペーパー
【図１】
2004174172.tif 000003
【図２】
2004174172.tif 000004
【図３】
2004174172.tif 000005
【図４】
2004174172.tif 000006